(57)【要約】【課題】移動層及び流動層の温度をより低温に適切に保つことができる旋回流型流動床炉及び炉床注水方法を提供する。【解決手段】本発明に係る旋回流型流動床炉１０は、移動層２２と流動層２４とを炉本体１１内に形成して廃棄物を処理する旋回流型流動床炉１０であって、流動層２４の上部に注水するように構成される注水部６０を有する。【選択図】図１
2015203553.tif 000002
【特許請求の範囲】
【請求項１】
移動層と流動層とを炉本体内に形成して廃棄物を処理する旋回流型流動床炉であって、
前記流動層に注水するように構成される注水部を有する、旋回流型流動床炉。
【請求項２】
前記注水部は、水及び空気を前記流動層に供給する注水ノズルを有し、
前記注水ノズルの先端は、前記流動層内部に配置される、請求項１に記載された旋回流型流動床炉。
【請求項３】
前記注水ノズルから前記流動層に供給される空気は、前記流動層に流動化空気が供給されている間は常時供給される、請求項２に記載された旋回流型流動床炉。
【請求項４】
前記注水ノズルの先端は、前記炉本体の壁から１００ｍｍ以上離間して配置される、請求項２又は３に記載された旋回流型流動床炉。
【請求項５】
前記流動層を支持する流動床板を有し、
前記注水ノズルの先端は、前記流動床板の上方に位置する、請求項２ないし４のいずれか一項に記載された旋回流型流動床炉。
【請求項６】
前記注水部は、前記注水ノズルの外側に設けられたノズルケースを有する、請求項２ないし５のいずれか一項に記載された旋回流型流動床炉。
【請求項７】
前記ノズルケースは、前記注水ノズルと前記ノズルケースとの隙間に空気を供給するための空気供給口を有する、請求項６に記載された旋回流型流動床炉。
【請求項８】
前記空気供給口から供給される空気は、前記流動層に流動化空気が供給されている間は常時供給される、請求項７に記載された旋回流型流動床炉。
【請求項９】
流動層を旋回させるデフレクタを有し、
前記デフレクタは、前記流動層に連通する貫通孔と、前記貫通孔に設けられた取付座を有し、
前記注水ノズル及び前記ノズルケースは、前記貫通孔に挿入され、前記取付座に対して固定される、請求項６ないし８のいずれか一項に記載された旋回流型流動床炉。
【請求項１０】
前記注水ノズルの先端は、前記ノズルケースの外部に配置される、請求項６ないし９のいずれか一項に記載された旋回流型流動床炉。
【請求項１１】
移動層と流動層とを炉本体内に形成して廃棄物を処理する旋回流型流動床炉に炉床注水する方法であって、
前記流動層に注水する工程を有する、炉床注水方法。
【請求項１２】
水及び空気を前記流動層に供給する注水ノズルを、前記注水ノズルの先端が前記流動層内部に位置するように配置する配置工程を有し、
前記流動層に注水する工程は、前記注水ノズルから水及び空気を前記流動層に供給する工程を含む、請求項１１に記載された炉床注水方法。
【請求項１３】
前記流動層に流動化空気が供給されている間は、前記注水ノズルから空気を前記流動層に常時供給する工程を有する、請求項１２に記載された炉床注水方法。
【請求項１４】
前記配置工程は、前記注水ノズルの先端を前記炉本体の壁から１００ｍｍ以上離間して
配置する工程を有する、請求項１２又は１３に記載された炉床注水方法。
【請求項１５】
前記配置工程は、前記注水ノズルの先端を、前記流動層を支持する流動床板の上方に位置するように配置する工程を有する、請求項１２ないし１４のいずれか一項に記載された旋回流型流動床炉。
【請求項１６】
前記注水ノズルと前記注水ノズルの外側に設けられたノズルケースとの隙間に空気を供給する工程を有する、請求項１２ないし１５のいずれか一項に記載された炉床注水方法。
【請求項１７】
前記流動層に流動化空気が供給されている間は、前記注水ノズルと前記ノズルケースとの隙間に空気を常時供給する工程を有する、請求項１６に記載された炉床注水方法。
【請求項１８】
前記配置工程は、前記注水ノズルと前記注水ノズルの外側に設けられたノズルケースを、前記炉本体のデフレクタに設けられた貫通孔に挿入する工程と、前記注水ノズル及び前記ノズルケースを、前記貫通孔に設けられた取付座に対して固定する工程を有する、請求項１２ないし１７のいずれか一項に記載された炉床注水方法。
【請求項１９】
前記配置工程は、前記注水ノズルの先端を前記注水ノズルの外側に設けられたノズルケースの外部に配置する工程を有する、請求項１２ないし１８のいずれか一項に記載された炉床注水方法。
【発明の詳細な説明】
【技術分野】
【０００１】
本発明は、移動床と流動床とを形成して廃棄物を処理する旋回流型流動床炉及び炉床注水方法に関する。
【背景技術】
【０００２】
未燃物の発生を抑制して廃棄物を処理する装置として流動床炉が知られている。流動床炉は、高温に熱した砂等の流動媒体中に投入された廃棄物の乾燥、熱分解及び燃焼を行う。
【０００３】
この流動床炉の一つとして、砂等の流動媒体に、その中央部よりも周辺部の質量速度が大きくなるように流動化気体を供給することで、炉内の中央部に流動媒体が沈降する移動層と、炉内の周辺部に流動媒体が活発に流動化する流動層を形成した、旋回流型流動床炉が知られている（例えば、特許文献１参照）。この旋回流型流動床炉では、移動層及び流動層に供給された流動化空気により、流動媒体が移動層を下降し周辺部の流動層底部に至り、次に流動層中を上昇し、流動層上部に設けられた傾斜壁（デフレクタ）により流動層上部から移動層上部に移動して、いわゆる旋回流（循環流）を形成する。
【０００４】
従来の旋回流型流動床炉では、流動媒体の循環流により炉床温度を均一に保つことが一般的であり、炉床温度の部分的な低下は流動不良の結果であると考えられていた。そこで、炉床温度が低下した部分に供給する流動化空気を増加させて、炉床温度差を解消する技術が知られている（例えば、特許文献２参照）。
【０００５】
流動床炉の炉床温度を調節するためには炉床注水が行われていたが、炉床注水により供給される水が高熱の炉壁に接触すると、炉壁が急激な温度低下により損傷する恐れがある。このため、炉床注水を行うときは、炉壁に水が接触しないように、炉床の中央部、すなわち移動層に炉床注水が行われ、移動層と流動層とを流動媒体が旋回することで炉床全体の温度が均一に調節されていた。
【０００６】
ところで、近年、廃棄物の焼却等においては、排ガスによる持ち出し熱（排ガス損失）を低減して熱回収効率を向上させるために、低空気比で燃焼が行われる。しかしながら、流動床炉においては廃棄物の乾燥・ガス化が流動床内で比較的短時間に行われるので、流動床炉に投入される廃棄物の質や量が変動する。これに伴い、炉床で発生する水蒸気量や可燃ガス量が激しく変動するので、廃棄物の完全燃焼に必要な燃焼用空気の制御が困難であり、低空気比化にも自ずと限界があった。
【０００７】
そこで、移動層と流動層をそれぞれの最適な温度に制御することで、移動層で廃棄物の処理を緩慢に行い、流動層で適度に燃焼させて流動媒体を加熱して移動層の熱源とし、これにより、質や量が不均一な都市ごみ等の廃棄物でも燃焼を安定して行う流動床炉が知られている（特許文献３参照）。
【０００８】
この流動床炉においては、比較的少ない流動化空気が供給され流動媒体が流動しながら沈降する移動層に廃棄物が取り込まれて、流動媒体と共に移動層を沈降する間に廃棄物の乾燥・熱分解が行われ、熱分解ガスが揮発する。揮発した熱分解ガスの一部は移動層において燃焼し、残部は炉内のフリーボードで燃焼する。熱分解ガスが揮発して形成された熱分解残渣は、流動媒体の循環流により流動層に流入し、流動層中を流動媒体と共に上昇する間に、比較的多い流動化空気により燃焼して、流動媒体を加熱する。加熱された流動媒体は流動層上部に設けられた傾斜壁（デフレクタ）により流動層上部から移動層上部に循
環されて、移動層に熱を供給する。即ち、従来の旋回流型流動床炉では、比較的少ない流動化空気が供給される移動層で流動媒体の熱が廃棄物に伝わって廃棄物の乾燥・熱分解が行われ、比較的多い流動化空気が供給される流動層で熱分解残渣が燃焼して流動媒体を加熱するので、流動層は温度が高く維持され易いが、一方で、移動層の温度は低くなりがちである。
【０００９】
近年、不完全燃焼に伴って発生するダイオキシン等の有害物質への対策が厳しく求められている。質や量が不均一な都市ごみ等の廃棄物を焼却する場合には、焼却炉に供給される廃棄物の量や質の変動が大きいので、燃焼量の変動が大きく、燃焼に必要な酸素を流動床炉に適切に供給することが困難になる場合がある。このため、旋回流型流動床炉においても、流動床温度を低温に保持すると共に、流動空気量をできる限り減らして流動化を抑制して流動媒体から廃棄物への熱の伝達速度を減じることにより、流動床内での熱反応を緩やかに行わせて、変動を抑制するようにしている。流動化空気量を極力少なくし、流動層の温度を低温に維持するこの旋回流型流動床炉において、炉床温度制御用の炉床注水を、炉壁と接触しない炉床中央部の移動層に行うと、比較的低い温度に維持されている移動層の温度をより低下させるので、移動層での熱分解ガス生成量が減少する。この場合、熱分解ガス生成量が減少することにより、移動層内での熱分解ガスの燃焼量が減り、移動層の温度を所望の温度に維持することができなくなるという問題があった。移動層温度が極端に低下すると、流動層底部に流入する流動媒体温度も低下し、流動層での燃焼が行われにくくなる結果、流動層においても流動媒体の加熱を十分に行うことができなくなり、極端な場合には炉床全体の温度維持ができなくなるという問題があり、炉床温度を低温化するにも限界があった。
【先行技術文献】
【特許文献】
【００１０】
【特許文献１】特開昭５７−１２４６０８号公報
【特許文献２】特開２００７−１１３８８０号公報（段落００１１−００１３等）
【特許文献３】国際公開２０１２／０６６８０２
【発明の概要】
【発明が解決しようとする課題】
【００１１】
本発明は上記問題に鑑みてなされたものであり、その目的は、移動層及び流動層の温度をより低温に適切に保つことができる旋回流型流動床炉及び炉床注水方法を提供することである。
【課題を解決するための手段】
【００１２】
上記目的を達成するため、本発明の第１形態に係る旋回流型流動床炉は、移動層と流動層とを炉本体内に形成して廃棄物を処理する旋回流型流動床炉であって、前記流動層に注水するように構成される注水部を有する。
【００１３】
上記目的を達成するため、本発明の第２形態に係る旋回流型流動床炉は、第１形態に係る旋回流型流動床炉において、前記注水部が、水及び空気を前記流動層に供給する注水ノズルを有し、前記注水ノズルの先端が、前記流動層内部に配置される。
【００１４】
上記目的を達成するため、本発明の第３形態に係る旋回流型流動床炉は、第２形態に係る旋回流型流動床炉において、前記注水ノズルから前記流動層に供給される空気が、前記流動層に流動化空気が供給されている間は常時供給される。
【００１５】
上記目的を達成するため、本発明の第４形態に係る旋回流型流動床炉は、第２形態又は第３形態に係る旋回流型流動床炉において、前記注水ノズルの先端が、前記炉本体の壁か
ら１００ｍｍ以上離間して配置される。
【００１６】
上記目的を達成するため、本発明の第５形態に係る旋回流型流動床炉は、第２形態ないし第４形態のいずれかに係る旋回流型流動床炉において、前記流動層を支持する流動床板を有し、前記注水ノズルの先端が、前記流動床板の上方に位置する。
【００１７】
上記目的を達成するため、本発明の第６形態に係る旋回流型流動床炉は、第２形態ないし第５形態のいずれかに係る旋回流型流動床炉において、前記注水部が、前記注水ノズルの外側に設けられたノズルケースを有する。
【００１８】
上記目的を達成するため、本発明の第７形態に係る旋回流型流動床炉は、第６形態に係る旋回流型流動床炉において、前記ノズルケースが、前記注水ノズルと前記ノズルケースとの隙間に空気を供給するための空気供給口を有する。
【００１９】
上記目的を達成するため、本発明の第８形態に係る旋回流型流動床炉は、第７形態に係る旋回流型流動床炉において、前記空気供給口から供給される空気が、前記流動層に流動化空気が供給されている間は常時供給される。
【００２０】
上記目的を達成するため、本発明の第９形態に係る旋回流型流動床炉は、第６形態ないし第８形態のいずれかに係る旋回流型流動床炉において、流動層を旋回させるデフレクタを有し、前記デフレクタが、前記流動層に連通する貫通孔と、前記貫通孔に設けられた取付座を有し、前記注水ノズル及び前記ノズルケースが、前記貫通孔に挿入され、前記取付座に対して固定される。
【００２１】
上記目的を達成するため、本発明の第１０形態に係る旋回流型流動床炉は、第６形態ないし第９形態のいずれかに係る旋回流型流動床炉において、前記注水ノズルの先端が、前記ノズルケースの外部に配置される。
【００２２】
上記目的を達成するため、本発明の第１１形態に係る炉床注水方法は、移動層と流動層とを炉本体内に形成して廃棄物を処理する旋回流型流動床炉に炉床注水する方法であって、前記流動層に注水する工程を有する。
【００２３】
上記目的を達成するため、本発明の第１２形態に係る炉床注水方法は、第１１形態に係る炉床注水方法において、水及び空気を前記流動層に供給する注水ノズルを、前記注水ノズルの先端が前記流動層内部に位置するように配置する配置工程を有し、前記流動層に注水する工程は、前記注水ノズルから水及び空気を前記流動層に供給する工程を含む。
【００２４】
上記目的を達成するため、本発明の第１３形態に係る炉床注水方法は、第１２形態に係る炉床注水方法において、前記流動層に流動化空気が供給されている間は、前記注水ノズルから空気を前記流動層に常時供給する工程を有する。
【００２５】
上記目的を達成するため、本発明の第１４形態に係る炉床注水方法は、第１２形態又は第１３形態に係る炉床注水方法において、前記配置工程が、前記注水ノズルの先端を前記炉本体の壁から１００ｍｍ以上離間して配置する工程を有する。
【００２６】
上記目的を達成するため、本発明の第１５形態に係る炉床注水方法は、第１２形態ないし第１４形態のいずれかに係る炉床注水方法において、前記配置工程が、前記注水ノズルの先端を、前記流動層を支持する流動床板の上方に位置するように配置する工程を有する。
【００２７】
上記目的を達成するため、本発明の第１６形態に係る炉床注水方法は、第１２形態ないし第１５形態のいずれかに係る炉床注水方法において、前記注水ノズルと前記注水ノズルの外側に設けられたノズルケースとの隙間に空気を供給する工程を有する。
【００２８】
上記目的を達成するため、本発明の第１７形態に係る炉床注水方法は、第１６形態に係る炉床注水方法において、前記流動層に流動化空気が供給されている間は、前記注水ノズルと前記ノズルケースとの隙間に空気を常時供給する工程を有する。
【００２９】
上記目的を達成するため、本発明の第１８形態に係る炉床注水方法は、第１２形態ないし第１７形態のいずれかに係る炉床注水方法において、前記配置工程が、前記注水ノズルと前記注水ノズルの外側に設けられたノズルケースを、前記炉本体のデフレクタに設けられた貫通孔に挿入する工程と、前記注水ノズル及び前記ノズルケースを、前記貫通孔に設けられた取付座に対して固定する工程を有する。
【００３０】
上記目的を達成するため、本発明の第１９形態に係る炉床注水方法は、第１２形態ないし第１８形態のいずれかに係る炉床注水方法において、前記配置工程が、前記注水ノズルの先端を前記注水ノズルの外側に設けられたノズルケースの外部に配置する工程を有する。
【発明の効果】
【００３１】
本発明によれば、移動層及び流動層の温度をより低温に適切に保つことができる旋回流型流動床炉及び炉床注水方法を提供することができる。
【図面の簡単な説明】
【００３２】
【図１】第１実施形態に係る旋回流型流動床炉の概略縦断正面図である。
【図２】注水部の拡大断面図である。
【図３】第２実施形態に係る旋回流型流動床炉の概略縦断正面図である。
【発明を実施するための形態】
【００３３】
以下、本発明の実施形態について図面を参照して説明する。以下で説明する図面において、同一のまたは相当する構成要素には、同一の符号を付して重複した説明を省略する。
【００３４】
＜第１実施形態＞
図１は、本発明の第１実施形態に係る旋回流型流動床炉の概略縦断正面図である。
図１に示すように、第１実施形態に係る旋回流型流動床炉１０は、廃棄物Ｗを処理する炉本体１１を有する。炉本体１１内には、砂等の流動媒体からなる流動床２０が形成される。流動床２０は、流動化空気により流動する。これにより、流動床２０の中央部には、流動媒体が流動しながら上方から下方に移動する移動層２２が形成され、流動床２０の両側部には、流動媒体が流動しながら下方から上方に移動する流動層２４が形成される。
【００３５】
旋回流型流動床炉１０は、さらに、移動層２２に空気を供給するための移動層風箱３２と、流動層２４に空気を供給するための第１流動層風箱３４及び第２流動層風箱３６と、移動層２２の温度を測定する移動層温度計５２と、流動層２４の温度を測定する２つの流動層温度計５４と、移動層風箱３６に流動化及び燃焼を目的とした気体（例えば、空気）を供給する移動層気体供給手段４２と、第１流動層風箱３４に流動化及び燃焼を目的とした気体を供給する第１流動層気体供給手段４４と、第２流動層風箱３６に流動化及び燃焼を目的とした気体を供給する第２流動層気体供給手段４６と、炉本体１１の壁面に設けられた一対の注水部６０と、を有する。注水部６０は図１の奥行き方向の長さに応じて複数対設けてもよい。この場合には注水部６０の奥行き方向の間隔を５００ｍｍ以上として配置するのがよい。
【００３６】
炉本体１１は、その両側壁に炉本体１１の幅を縮小するように形成されたくぼみ部１２を有する。くぼみ部１２は、炉本体１１の側壁が下方から上方に向かって炉本体１１の内部方向に傾斜した傾斜壁１２ａ（デフレクタ）と、傾斜壁１２ａの上端に設けられて下方から上方に向かって外側に広がるように傾斜した拡張壁１２ｂとから構成される。また、炉本体１１内部には、移動層２２及び流動層２４の上部空間であるフリーボード１７が形成される。
【００３７】
炉本体１１は、廃棄物Ｗを供給するための投入口１５と、廃棄物Ｗを熱反応させた際に生じる可燃ガス等を排出する排気口１６と、廃棄物Ｗに含まれる不燃物を抜き出す一対の不燃物流路１８ａ，１８ｂとを有する。投入口１５は、拡張壁１２ｂの上端よりも上方の壁面に設けられ、投入された廃棄物Ｗが流動床２０上に落下するように廃棄物Ｗを案内する。排気口１６は炉本体１１の上部に形成され、炉内で生成した燃焼排ガス等を外部に排気する。不燃物流路１８ａ，１８ｂは、それぞれ傾斜壁１２ａの下部に下向きに伸びるように形成される。なお、投入口１５の位置は、廃棄物Ｗを流動床２０の中央の移動層２２上部に落下するように案内できれば、本第１実施形態の位置に特定されるものではない。つまり、炉本体１１の側壁周囲で自在な位置に投入口１５を設けることができる。
【００３８】
移動層風箱３２は、不燃物流路１８ａ，１８ｂの間の炉本体１０の底部中央に配置され、その両側に第１流動層風箱３４及び第２流動層風箱３６が配置される。移動層風箱３２の上面には、移動層２２を支持する移動床板３２ａが形成される。また、第１流動層風箱３４及び第２流動層風箱３６の上面には、それぞれ、流動層２４を支持する第１流動床板３（流動床板）４ａ及び第２流動床板３６ａ（流動床板）が形成される。
【００３９】
移動床板３２ａは、中央が高く、両側縁に向かうにつれ徐々に低く形成された山形状をなすように形成される。第１流動床板３４ａ及び第２流動床板３６ａは、山形状の移動床板３２ａの端部を延長するように、移動床板３２ａと略同一の傾斜角度で傾斜して形成される。移動床板３２ａ、第１流動床板３４ａ、及び第２流動床板３６ａには、それぞれの風箱に供給された空気を炉内に噴出するための図示しない散気ノズルが設けられる。
【００４０】
移動層気体供給手段４２、第１流動層気体供給手段４４、及び第２流動層気体供給手段４６は、図示しない調節弁を有する。この調節弁の開度を調節することで、移動層風箱３２、第１流動層風箱３４、及び第２流動層風箱３６に供給する空気流量が調節される。
【００４１】
この旋回流型流動床炉１０で廃棄物Ｗを燃焼させるときは、まず、廃棄物Ｗが投入口１５から移動層２２に供給される。このとき、移動層気体供給手段４２は、移動床板３２ａに配置された図示しない散気ノズルから移動層２２に比較的小さな流動化速度を与えるように流動化空気を供給する。一方で、第１流動層気体供給手段４４及び第２流動層気体供給手段４６は、第１流動床板３４ａ及び第２流動床板３６ａに配置された図示しない散気ノズルから流動層２４に比較的大きな流動化速度を与えるように流動化空気を供給する。これにより、流動媒体が比較的ゆっくりした速度で流動しながら上方から下方に移動する移動層２２が移動床板３２ａの上方に形成され、流動媒体が流動しながら下方から上方に移動する流動層２４が第１流動床板３４ａ及び第２流動床板３６ａの上方に形成される。
【００４２】
したがって、流動床２０の下部では、移動床板３２ａ、第１流動床板３４ａ、及び第２流動床板３６ａの傾斜により、流動媒体が移動層２２から流動層２４へ移動する。一方で、流動床２０の上部では、傾斜壁１２ｂがデフレクタとして機能し、流動媒体が流動層２４から移動層２２へ移動する。これにより、移動層２２と流動層２４との間を流動媒体が循環する循環流（旋回流）が、流動床２０の左右に形成される。
【００４３】
移動層２２に供給された廃棄物Ｗは、流動媒体内に取り込まれて、流動媒体と共に移動層２２内を下方に移動する。このとき、供給された廃棄物Ｗは流動媒体の熱によって乾燥・熱分解されて廃棄物Ｗ中の可燃分から可燃ガス等が発生する。その結果、脆い熱分解残渣が生成される。熱分解残渣は、典型的には、不燃物、及び熱分解によって脆くなった未燃物（チャー）を含んでいる。移動層２２で生成される熱分解残渣は、流動媒体の流動に従って移動床板３２ａに至ると、傾斜した移動床板３２ａに沿って流動層２４に向かう。流動層２４に至った熱分解残渣は激しく流動する流動媒体と接触して、未燃物が熱分解残渣から剥離する。未燃物が熱分解残渣から剥離することで残った不燃物は、一部の流動媒体と共に不燃物流路１８ａ，１８ｂから排出される。
【００４４】
一方、熱分解残渣から剥離した未燃物は、流動媒体と共に、流動層２４内を上方に移動する。このとき、未燃物は、供給された流動化空気によって燃焼し、流動媒体を加熱しつつ燃焼排ガス、可燃ガス等を発生する。これにより、未燃物は微細な未燃物及び灰分粒子となる。流動層２４の上部に移動した高温の流動媒体は、デフレクタ１２aで反転されて移動層２２に流入する。流動層２４において、流動媒体の温度を、廃棄物Ｗの熱分解を適切に行うことができる温度まで上昇させる。移動層２２に流入した流動媒体は、再び廃棄物Ｗを受け入れて、上述した移動層２２及び流動層２４における熱反応を繰り返す。
【００４５】
ここで、廃棄物Ｗが都市ごみ等の質や量が不均一な廃棄物である場合には、旋回流型流動床炉１０に供給される廃棄物Ｗの質や量の変動が大きいので、燃焼量の変動が大きく、燃焼に必要な酸素を流動床２０に適切に供給することが困難になる恐れがある。そこで、本実施形態に係る旋回流型流動床炉１０では、流動層２４で未燃分を燃焼させて流動媒体を加熱して適切な温度に維持して移動層２２の熱源とし、移動層２２で廃棄物Ｗの処理を緩慢に行うことで、都市ごみ等の質や量が不均一な廃棄物Ｗでも燃焼を安定して行うことができる。
【００４６】
本実施形態に係る旋回流型流動床炉１０では、流動床２０内での廃棄物Ｗの乾燥及び熱分解を緩やかに行うために、移動層２２の温度が例えば５００℃以上５６０℃以下となるように移動層気体供給手段４２が制御され、流動層２４の温度が例えば５２０℃以上５８０℃以下となるように第１流動層気体供給手段４４及び第２流動層気体供給手段４６が制御される。
【００４７】
なお、本第１実施形態では、移動層風箱３２を１つとしているが、旋回流型流動床炉１０の処理能力が大きい場合には、移動層風箱３２を中央で２つに分割してもよい。その場合、それぞれの移動層風箱３２に対応させて、移動層温度計５２を分割したそれぞれの移動層風箱３２の上方に２つ設置して、それぞれの移動層２２の温度に応じてそれぞれの移動層風箱３２への供給空気量を調節し、それぞれの移動層２２の温度を目標温度に維持させる。
【００４８】
また、移動層２２及び流動層２４の温度を上記のように低い温度範囲に制御するために、移動層気体供給手段４２、第１流動層気体供給手段４４、及び第２流動層気体供給手段４６を制御するだけでなく、炉床注水が行われる場合がある。しかしながら、温度が比較的低い移動層２２に炉床注水が行われると、移動層２２の温度が極端に低下し、回復が困難となることがあった。このため、本実施形態に係る旋回流型流動床炉１０は、傾斜壁１２ａに注水部６０が設けられ、注水部６０により流動層２４に炉床注水を行うようにする。これにより、移動層に流入する流動媒体の温度を所定の温度範囲に制御できるので、移動層２２の温度の極端な低下を防止して、結果として移動層２２及び流動層２４の温度をより低温に適切に維持することができる。
【００４９】
図２は、図１に示した注水部６０の拡大断面図である。なお、図１に示したように、注水部６０は一対の傾斜壁１２ａにそれぞれが左右対称になるように一対設けられているが、ともに同じ構造であるので一方の説明を省略する。なお、本実施形態において、「先端側」は炉本体１１の内部側、即ち流動層２４に位置する側をいい、「後端側」は炉本体１１の外部側をいう。
【００５０】
図２に示すように、注水部６０は、水及び空気を流動層２４に供給するための炉床注水ノズル６１と、炉床注水ノズル６１の外側に設けられたノズルケース６２とを有する。炉床注水ノズル６１は管状のノズルであり、取り付け用のフランジ６９を有し、図示しない流体供給手段により、その内腔に水及び空気、又は空気のみが供給される。流動層２４に流動化空気が供給されている間は炉床注水ノズル６１には常時空気が供給されるように構成され、炉床注水ノズル６１に流動媒体が入り込むことを防止するとともに、炉床注水ノズル６１を冷却保護している。炉床注水ノズル６１に供給する空気量はノズル噴出流速を１０ｍ／ｓｅｃ以上とするのがよい。噴出流速がそれ以下の場合には、炉床注水が速やかに流動層２４内に拡散しにくく、また、ノズルの冷却効果が小さく、流動媒体がノズル内に入り込むためである。１本のノズルからの注水量は１０００ｌ／ｈ以下とするのがよい。１本のノズルからの注水量がそれ以上になると流動層２４のノズル周囲温度が極端に低下し、注水が蒸発しきらなくなるからである。
【００５１】
ノズルケース６２は、炉床注水ノズル６１の外径よりも大きい内径を有する管状のケースである。炉床注水ノズル６１及びノズルケース６２は、取り付け用のフランジを除いて、例えばＳＵＳ３０４又はＳＵＳ３１６等の金属で形成される。
【００５２】
傾斜壁１２ａは、炉本体１１外部から流動層２４に連通する貫通孔６３と、貫通孔６３に設けられた管状の取付座６４とを有する。取付座６４は、その外周面が貫通孔６３の内周に密着されており、その先端側は、傾斜壁１２ａの内面と面一となるように配置される。取付座６４の後端側には、フランジ６５が形成される。
【００５３】
また、ノズルケース６２の後端側の端部には、注水ノズル６１のフランジ６９を取り付けるためのフランジ６８が設けられている。炉床注水ノズル６１は、ノズルケース６２の内腔に配置され、ノズルケース内の略中心に位置させるように図示しないスペーサを設けてもよい。炉床注水ノズル６１の先端はノズルケース６２の先端から突出するように形成される。即ち、炉床注水ノズル６１の先端は、ノズルケース６２の外部に配置される。
【００５４】
ノズルケース６２は、その長手方向略中央部の外周面に、取付座６４のフランジ６５に固定される固定フランジ６６を有する。ノズルケース６２及び炉床注水ノズル６１は、傾斜壁１２ａの貫通孔６３、即ち取付座６４の内部に挿入される。ノズルケース６２の固定フランジ６６がフランジ６５に密に固定されることで、ノズルケース６２及び炉床注水ノズル６１は、取付座６４に対して固定される。ノズルケース６２及び炉床注水ノズル６１が取付座６４に対して固定されることで、炉床注水ノズル６１の先端が流動層２４内部に配置される。
【００５５】
炉床注水ノズル６１の先端は、炉本体１１の壁から１００ｍｍ以上離間するように配置される。なお、炉床注水ノズル６１の先端が炉本体１１の壁から１００ｍｍ未満の距離に位置する場合、炉床注水ノズル６１から供給された水が炉本体１１の高温の炉壁に接触し、急激な温度低下により炉壁が損傷する恐れがある。
【００５６】
また、炉床注水ノズル６１の先端は、図１に示した第１流動床板３４又は第２流動床板３６の上方に位置する。言い換えると、平面図上で炉床注水ノズル６１の先端が、第１流動床板３４又は第２流動床板３６の面積領域と重なる位置に配置される。これにより、炉
床注水ノズル６１の先端は、第１流動床板３４又は第２流動床板３６の上方に位置する流動層２４に確実に位置することとなり、流動層２４の上部に確実に注水を行うことができる。
【００５７】
取付座６４に固定されたノズルケース６２の後端側の外周には、ノズルケース６２の管内に連通する空気供給口６７（空気供給部）が設けられる。空気供給口６７は、図示しない空気供給手段により空気が供給されることで、炉床注水ノズル６１とノズルケース６２との隙間にパージ空気を供給する。空気供給口６７には、流動層２４に流動化空気が供給されている間は常時空気が供給されるように構成される。これにより、炉床注水ノズル６１とノズルケース６２との隙間に流動媒体が入り込むことを防止するとともに、炉床注水ノズル６１を冷却保護している。
【００５８】
次に、図２に示した注水部６０により流動層２４に注水するプロセスを説明する。
図１に示した移動層２２の温度及び流動層２４の温度は、移動層温度計５２及び流動層温度計５４により常時連続的に計測される。計測された温度に基づいて、移動層２２及び流動層２４へ供給される流動化空気量が調節される。流動化空気を調節しても、流動層２４の温度が所定の温度を超える場合に、注水部６０から炉床注水が行われる。
【００５９】
図２に示した注水部６０から、流動層２４に炉床注水を行うときは、図示しない流体供給手段により炉床注水ノズル６１から、水と空気が流動層２４に供給される。流動層２４に供給された水は、高熱の流動層２４により蒸発するとともに、流動層２４の温度を低下させることができる。流動層２４の温度が所定の温度以下になると、炉床注水ノズル６１から供給される水が停止し、空気のみが供給される。即ち、炉床注水ノズル６１から流動層２４に供給される空気は、流動層２４に流動化空気が供給されている間は常時供給される。なお、このとき炉床注水ノズル６１から流動層２４に供給される空気の流速は、例えば０℃条件で約１０ｍ／ｓである。
【００６０】
また、流動層２４に流動化空気が供給されている間は、炉床注水ノズル６１とノズルケース６２との隙間に、空気供給口６７からパージ空気が常時供給される。なお、このときのパージ空気の流速は、例えば０℃条件で約１５ｍ／ｓであり、パージ空気流量は、炉床注水ノズル６１の外径が２１．７ｍｍでノズルケース６２の内径が５２．９ｍｍの場合は例えば９９．０ｍ３（ＮＴＰ）／ｈ、炉床注水ノズル６１の外径が２１．７ｍｍでノズルケース６２の内径が４１．６ｍｍの場合は例えば５３．０ｍ３（ＮＴＰ）／ｈである。
【００６１】
なお、第１実施形態において、第１流動層空気供給手段４４又は第２流動層気体供給手段４６からの流動化空気の一部を分岐して、空気供給口６７に供給してもよい。この場合、流動層２４を流動させているときは必ず空気供給口６７からパージ空気を供給することができる。一方で、空気供給口６７に空気を供給する別の空気供給手段を設けてもよい。
また、炉床注水ノズル６１が流動媒体から受ける抵抗に耐えうる強度を有している場合は、ノズルケース６２は設けなくともよい。この場合は、炉床注水ノズル６１のフランジ６９を取付座６４のフランジ６５に固定し、ノズル取り付け座６４の後端側の外周にノズル取り付け座の管内に連通する図示しない空気供給口（空気供給部）を設けるのがよい。
【００６２】
以上で説明したように、第１実施形態に係る旋回流型流動床炉１０は、流動層２４に注水するように構成される注水部６０を有するので、移動層２２の温度を極端に低下させることなく所定温度に維持しながら、流動層２４の温度を低下させることができ、移動層２２及び流動層２４の温度をより低温に適切に保つことができる。また、流動床内で最も温度の高い流動層２４の上部に注水して、流動床の最高温度を制御するため、流動層２４及び移動層２２を流動媒体が旋回することにより、流動層２４の温度および移動層２２の温度を可能な限り低下させ、安定して低温を維持することができる。
【００６３】
第１実施形態に係る旋回流型流動床炉は、水及び空気を流動層２４に供給する炉床注水ノズル６１を有し、炉床注水ノズル６１の先端が流動層２４内部に配置されるので、流動層２４の上部に確実に注水することができる。
【００６４】
また、炉床注水ノズル６１から流動層２４に供給される空気は、流動層２４に流動化空気が供給されている間は常時供給される。これにより、流動層２４を構成する流動媒体が炉床注水ノズル６１内部に入り込むことを防止して炉床注水ノズル６１を冷却保護し、炉床注水ノズル６１から炉床注水したときに炉床注水ノズル６１の内部で水が蒸発することを防止することができ、水の蒸発により生じる急激な圧力変化によって炉床注水ノズル６１が損傷することを防止することができる。
【００６５】
注水部６０は、炉床注水ノズル６１の外側に設けられたノズルケース６２を有するので、流動層２４の流動媒体からの抵抗により炉床注水ノズル６１が屈折又は湾曲することを防止することができる。
【００６６】
また、ノズルケース６２は、炉床注水ノズル６１とノズルケース６２との隙間に空気を供給するための空気供給口６７を有する。空気供給口６７から供給される空気は、流動層２４に流動化空気が供給されている間は常時供給される。これにより、流動像２４の流動媒体が、炉床注水ノズル６１とノズルケース６２との隙間に入り込むことを防止し、炉床注水ノズル６１から炉床注水したときにノズルケース６２の内部で水が蒸発することを防止することができ、水の蒸発により生じる急激な圧力変化によってノズルケース６２及び炉床注水ノズル６１が損傷することを防止することができる。
【００６７】
傾斜壁１２ａ（デフレクタ）が、流動層２４に連通する貫通孔６３と、貫通孔６３に設けられた取付座６４を有し、炉床注水ノズル６１及びノズルケース６２が、貫通孔６３に挿入され、取付座６４に対して固定される。これにより、傾斜壁１２ａの内側に位置する流動層２４に、炉床注水ノズル６１の先端を位置させることができ、流動層２４の上部に確実に注水することができる。
【００６８】
炉床注水ノズル６１の先端は、炉本体１１の壁から１００ｍｍ以上離間して配置されるので、炉床注水ノズル６１からの水が高熱の炉壁に接触することを防止でき、炉壁の急激な温度低下により損傷を防止することができる。
【００６９】
炉床注水ノズル６１の先端が、ノズルケース６２の外部に配置される、即ち、ノズルケース６２の先端から出るように配置される。これにより、炉床注水ノズル６１から流動層２４に確実に炉床注水することができ、注水が高温の炉壁に接触することを防止でき、炉壁の急激な温度低下により損傷を防止することができる。
【００７０】
また、炉床注水ノズル６１の先端が、第１流動床板３４又は第２流動床板３６の上方に位置するので、炉床注水ノズル６１の先端が第１流動床板３４又は第２流動床板３６の上方に位置する流動層２４内に確実に位置することとなり、流動層２４の上部に確実に注水を行うことができる。
【００７１】
＜第２実施形態＞
図３は、本発明の第２実施形態に係る旋回流型流動床炉の概略縦断正面図である。
図３に示すように、第２実施形態に係る旋回流型流動床炉１０は、第１実施形態に比べて、炉本体１１の正面視で右半分のみから構成されている点が異なる。即ち、第２実施形態に係る旋回流型流動床炉１０は、第１流動層風箱３４、第１流動層気体供給手段４４及び不燃物流路１８ａを備えておらず、注水部６０、移動層温度計５２及び流動層温度計５
４がそれぞれ一つずつ設けられている。
【００７２】
また、第２実施形態の旋回流型流動床炉１０の炉本体１１は、その一側壁のみにくぼみ部１２を有する。炉本体１１のくぼみ部１２が形成された側と逆側の側壁は、かかるくぼみが形成されておらず平板状に構成される。また、廃棄物Ｗを炉本体１１に供給するための投入口１５は、炉本体１１のくぼみ部１２が形成された側と逆側の側壁に設けられ、投入された廃棄物Ｗを移動層２２の上部に案内する。その他の構成は第１実施形態と同様であるので、説明を省略する。
【００７３】
第２実施形態に係る旋回流型流動床炉１０は、第１実施形態に係る旋回流型流動床炉において説明した発明の効果と同様の効果を有する。
【００７４】
以上、本発明の実施形態について説明したが、上述した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲及び明細書に記載された各構成要素の任意の組み合わせ、又は省略が可能である。
【符号の説明】
【００７５】
１０…旋回流型流動床炉
１１…炉本体
１２ａ…傾斜壁
２２…移動層
２４…流動層
３４ａ…第１流動床板
３６ａ…第２流動床板
６０…注水部
６１…炉床注水ノズル
６２…ノズルケース
６３…貫通孔
６４…取付座
６７…空気供給口
【図１】
2015203553.tif 000003
【図２】
2015203553.tif 000004
【図３】
2015203553.tif 000005